(57)【要約】【課題】負荷における複数の機能を制御することができる制御システム、負荷制御システム、負荷、制御方法、及びプログラムを提供する。【解決手段】制御システム１は、負荷２０を含む負荷システム２を制御する。負荷２０は、複数の機能に対応する複数の識別子を有する。制御システム１は、負荷２０を制御する制御信号を出力する出力部１１３を備える。出力部１１３は、負荷２０における複数の機能のうち第１機能の動作を制御する場合、複数の識別子のうち第１機能に対応する第１識別子を含む制御信号を出力する。出力部１１３は、負荷２０における複数の機能のうち第２機能の動作を制御する場合、複数の識別子のうち第２機能に対応する第２識別子を含む制御信号を出力する。【選択図】図１
2020057483.tif 000002
【特許請求の範囲】
【請求項１】
複数の機能に対応する複数の識別子を有する負荷を含む負荷システムを制御する制御システムであって、
前記負荷を制御する制御信号を出力する出力部を備え、
前記出力部は、
前記負荷における前記複数の機能のうち第１機能の動作を制御する場合、前記複数の識別子のうち前記第１機能に対応する第１識別子を含む前記制御信号を出力し、
前記負荷における前記複数の機能のうち第２機能の動作を制御する場合、前記複数の識別子のうち前記第２機能に対応する第２識別子を含む前記制御信号を出力する、
制御システム。
【請求項２】
前記第１識別子及び前記第２識別子は、それぞれ前記負荷を識別するアドレスである、
請求項１に記載の制御システム。
【請求項３】
前記出力部は、
前記負荷である第１負荷を含む前記負荷システムである第１負荷システムに、前記第１負荷を制御する前記制御信号である第１制御信号を出力し、
単一の機能に対応する単一の識別子を有する第２負荷を含む第２負荷システムに、前記第２負荷を制御する第２制御信号を出力する、
請求項１又は２に記載の制御システム。
【請求項４】
前記負荷システムは、前記負荷である第１負荷と、単一の識別子を有する第２負荷と、を含む、
請求項１又は２に記載の制御システム。
【請求項５】
前記単一の機能は、前記第１機能と前記第２機能とのいずれか一方と同じ機能である、
請求項３又は４に記載の制御システム。
【請求項６】
前記単一の識別子は、前記第１識別子及び前記第２識別子と同種類の識別子である、
請求項３〜５のいずれか１項に記載の制御システム。
【請求項７】
前記第１機能は、前記負荷における第１パラメータを変更する機能であり、
前記第２機能は、前記負荷における前記第１パラメータとは異なる第２パラメータを変更する機能である、
請求項１〜６のいずれか１項に記載の制御システム。
【請求項８】
前記出力部は、前記第２機能の動作を制御する場合、前記第２パラメータの制御データが前記第１パラメータの制御データに変換されたデータを含む前記制御信号を出力する、
請求項７に記載の制御システム。
【請求項９】
前記負荷は、光源を有する照明装置であり、
前記第１機能は、前記光源の調光率を変更する機能であり、
前記第２機能は、前記光源の色温度を変更する機能である、
請求項１〜８のいずれか１項に記載の制御システム。
【請求項１０】
請求項１〜９のいずれか１項に記載の制御システムと、
前記負荷システムと、を備える、
負荷制御システム。
【請求項１１】
請求項１〜９のいずれか１項に記載の制御システムによって制御される、
負荷。
【請求項１２】
複数の機能に対応する複数の識別子を有する負荷を含む負荷システムを制御する制御方法であって、
前記負荷における前記複数の機能のうち第１機能の動作を制御する場合、前記複数の識別子のうち前記第１機能に対応する第１識別子を含む制御信号を出力し、
前記負荷における前記複数の機能のうち第２機能の動作を制御する場合、前記複数の識別子のうち前記第２機能に対応する第２識別子を含む前記制御信号を出力する、
制御方法。
【請求項１３】
コンピュータシステムに、請求項１２に記載の制御方法を実行させるためのプログラム。
【発明の詳細な説明】
【技術分野】
【０００１】
本開示は、一般に制御システム、負荷制御システム、負荷、制御方法、及びプログラムに関し、より詳細には複数の機能を有する負荷を含む負荷システムを制御する制御システム、負荷制御システム、負荷、制御方法、及びプログラムに関する。
【背景技術】
【０００２】
従来、複数の照明器具（負荷システム）と、照明器具を制御するコントローラ（制御システム）と、を備えた照明制御システム（負荷制御システム）がある（例えば、特許文献１参照）。
【０００３】
特許文献１では、複数の照明器具とコントローラとが通信線を介して接続されている。各照明器具（負荷）には、個別の論理アドレスが割り当てられている。コントローラは、照明器具の調光レベルの変更を行う制御命令と、対象となる照明器具の論理アドレスとが含まれた伝送信号を出力する送受信部（出力部）を備えている。
【先行技術文献】
【特許文献】
【０００４】
【特許文献１】特開２０１１−１１３７６１号公報
【発明の概要】
【発明が解決しようとする課題】
【０００５】
制御システムと負荷システムとの間の通信仕様によっては、負荷が有する複数の機能を制御する制御信号の伝送に対応しておらず、負荷における複数の機能を制御することができないおそれがあった。
【０００６】
本開示は、上記事由に鑑みてなされており、その目的は、負荷における複数の機能を制御することができる制御システム、負荷制御システム、負荷、制御方法、及びプログラムを提供することにある。
【課題を解決するための手段】
【０００７】
本開示の一態様に係る制御システムは、複数の機能に対応する複数の識別子を有する負荷を含む負荷システムを制御する。前記制御システムは、前記負荷を制御する制御信号を出力する出力部を備える。前記出力部は、前記負荷における前記複数の機能のうち第１機能の動作を制御する場合、前記複数の識別子のうち前記第１機能に対応する第１識別子を含む前記制御信号を出力する。前記出力部は、前記負荷における前記複数の機能のうち第２機能の動作を制御する場合、前記複数の識別子のうち前記第２機能に対応する第２識別子を含む前記制御信号を出力する。
【０００８】
本開示の一態様に係る負荷制御システムは、前記制御システムと、前記負荷システムと、を備える。
【０００９】
本開示の一態様に係る負荷は、前記制御システムによって制御される。
【００１０】
本開示の一態様に係る制御方法は、複数の機能に対応する複数の識別子を有する負荷を含む負荷システムを制御する。前記制御方法では、前記負荷における前記複数の機能のうち第１機能の動作を制御する場合、前記複数の識別子のうち前記第１機能に対応する第１識別子を含む制御信号を出力する。前記制御方法では、前記負荷における前記複数の機能のうち第２機能の動作を制御する場合、前記複数の識別子のうち前記第２機能に対応する第２識別子を含む前記制御信号を出力する。
【００１１】
本開示の一態様に係るプログラムは、コンピュータシステムに、前記制御方法を実行させる。
【発明の効果】
【００１２】
本開示では、負荷における複数の機能を制御することができるという効果がある。
【図面の簡単な説明】
【００１３】
【図１】図１は、本開示の一実施形態に係る制御システムを含む負荷制御システムのブロック図である。
【図２】図２Ａは、同上の制御システムにおける調光率及び色温度の入力画面の第１例である。図２Ｂは、同上の制御システムにおける調光率及び色温度の入力画面の第２例である。
【図３】図３は、本開示の一実施形態の第１変形例に係る制御システムを含む負荷制御システムのブロック図である。
【図４】図４は、本開示の一実施形態の第２変形例に係る制御システムを含む負荷制御システムのブロック図である。
【発明を実施するための形態】
【００１４】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１５】
（１）概要
本実施形態に係る制御システム１、及び負荷制御システム１００のブロック図を図１に示す。
【００１６】
負荷制御システム１００は、制御システム１と、負荷システム２と、を備えている。
【００１７】
負荷システム２は、少なくとも１つの負荷２０を含む。本実施形態では、負荷システム２は、複数の負荷２０を含む。本実施形態では、複数の負荷２０の各々は、光源２４を有する照明装置２１である。
【００１８】
本実施形態では、制御システム１及び負荷制御システム１００が、例えばオフィスビル等の比較的大規模な施設に適用される場合について説明する。負荷制御システム１００は、オフィスビル全体の照明装置２１等を管理する照明制御システムに用いられる。なお、制御システム１及び負荷制御システム１００が適用される施設は、オフィスビルに限らず、テナントビル、マンション、公共施設、学校、病院、工場、駅、空港、若しくは介護施設等であってもよい。
【００１９】
本実施形態では、オフィスビルにおいて、既存の負荷システムを新規（本実施形態）の負荷システム２に変更した場合を想定している。既存の負荷システムにおける負荷（照明装置）は、光源の調光率を変更する調光機能にのみ対応している。新規（本実施形態）の負荷システム２における負荷２０（照明装置２１）は、調光機能（第１機能）に加えて、光源２４の色温度を変更する調色機能（第２機能）を有している。
【００２０】
また、負荷２０は、複数の識別子を有する。複数の識別子は、負荷２０における複数の機能に対応している。本実施形態では、負荷２０は、複数の識別子として、第１識別子と第２識別子とを有する。第１識別子は、第１機能（調光機能）に対応している。第２識別子は、第２機能（調色機能）に対応している。第１識別子及び第２識別子は、それぞれ負荷２０を識別するアドレス（ネットワークアドレス）である。言い換えれば、第１識別子は、調光用アドレスであり、第２識別子は、調色用アドレスである。つまり、負荷２０には、互いに異なる２つのアドレスが割り当てられている。
【００２１】
制御システム１は、負荷システム２を制御する。制御システム１は、負荷２０を制御する制御信号を出力する出力部１１３を備える。出力部１１３は、負荷２０における複数の機能のうち第１機能の動作を制御する場合、複数の識別子のうち第１機能に対応する第１識別子を含む制御信号を出力する。出力部１１３は、負荷２０における複数の機能のうち第２機能の動作を制御する場合、複数の識別子のうち第２機能に対応する第２識別子を含む制御信号を出力する。
【００２２】
つまり、出力部１１３は、照明装置２１（負荷２０）における光源２４の調光率を制御する場合、調光率の指示を表す制御データ、及び第１識別子（調光用アドレス）を含む制御信号を出力する。出力部１１３は、照明装置２１（負荷２０）における光源２４の色温度を制御する場合、色温度の指示を表す制御データ、及び第２識別子（調色用アドレス）を含む制御信号を出力する。
【００２３】
負荷２０（照明装置２１）は、受信した制御信号に含まれる識別子を判定する。負荷２０（照明装置２１）は、受信した制御信号に含まれる識別子が第１識別子（調光用アドレス）である場合、制御信号に含まれる制御データに基づいて光源２４の調光率を変更する。負荷２０（照明装置２１）は、受信した制御信号に含まれる識別子が第２識別子（調色用アドレス）である場合、制御信号に含まれる制御データに基づいて光源２４の色温度を変更する。
【００２４】
したがって、本実施形態の制御システム１では、負荷２０における複数の機能を制御することができる。
【００２５】
（２）詳細
以下に、本実施形態に係る制御システム１、及び負荷制御システム１００の詳細な構成について詳細に説明する。
【００２６】
負荷制御システム１００は、制御システム１と、負荷システム２と、を備えている。また、負荷制御システム１００は、伝送アダプタ３１と、制御ユニット３２と、を更に備えている。
【００２７】
負荷システム２は、複数の負荷２０として複数の照明装置２１を備えている。
【００２８】
照明装置２１は、通信部２２と、点灯制御部２３と、光源２４と、を備えている。照明装置２１は、例えばオフィスビルにおける天井、壁等に設置されている。
【００２９】
通信部２２は、通信線Ｌ１を介して伝送アダプタ３１と接続されている。通信部２２は、伝送アダプタ３１との有線通信に対応した通信インタフェースを含んでいる。
【００３０】
伝送アダプタ３１は、例えばオフィスビルにおける天井等に設置されている。伝送アダプタ３１は、通信線Ｌ１を介して複数の照明装置２１（負荷２０）が接続されている。また、伝送アダプタ３１は、通信線Ｌ２を介して制御ユニット３２と接続されている。伝送アダプタ３１は、制御ユニット３２と照明装置２１（負荷２０）との間で信号を中継するように構成されている。なお、照明装置２１（通信部２２）と伝送アダプタ３１との間の通信は、通信線Ｌ１を介した有線通信に限らず、電波等を媒体とする無線通信であってもよい。
【００３１】
制御ユニット３２は、例えばオフィスビルにおける管理室等に設置されている。制御ユニット３２は、通信線Ｌ２を介して複数の伝送アダプタ３１が接続されている。また、制御ユニット３２は、通信線Ｌ３を介して、制御システム１における管理サーバ１０と接続されている。制御ユニット３２は、管理サーバ１０と伝送アダプタ３１との間で信号を中継するように構成されている。制御ユニット３２は、管理サーバ１０から送信された信号に含まれるネットワークアドレスに基づいて、配下の照明装置２１に宛てた信号を伝送アダプタ３１を介して照明装置２１に伝送する。なお、制御ユニット３２と伝送アダプタ３１との間の通信は、通信線Ｌ２を介した有線通信に限らず、電波等を媒体とする無線通信であってもよい。
【００３２】
つまり、通信部２２は、伝送アダプタ３１及び制御ユニット３２を介して管理サーバ１０との間で、信号の送受信が可能に構成されている。なお、通信部２２は、信号の受信機能のみを有する構成であってもよい。
【００３３】
本実施形態では、伝送アダプタ３１に複数の照明装置２１（負荷２０）が接続されているが、伝送アダプタ３１に接続される照明装置２１（負荷２０）の数は１つであってもよい。また、制御ユニット３２に複数の伝送アダプタ３１が接続されているが、制御ユニット３２に接続される伝送アダプタ３１の数は１つであってもよい。つまり、負荷システム２は、複数の照明装置２１（負荷２０）を備える構成に限らず、１つの照明装置２１（負荷２０）を備える構成であってもよい。
【００３４】
光源２４は、例えばＬＥＤ（Light Emitting Diode）を備える。光源２４は、点灯制御部２３によって制御される。
【００３５】
点灯制御部２３は、通信部２２が受信した信号に基づいて、光源２４を制御する。例えば、点灯制御部２３は、通信部２２が受信した信号に基づいて、光源２４を点灯及び消灯させる。また、点灯制御部２３は、調光機能（第１機能）及び調色機能（第２機能）を有している。調光機能とは、負荷２０（照明装置２１）における光源２４の調光率（第１パラメータ）を変更する機能である。調色機能とは、負荷２０（照明装置２１）における光源２４の色温度（第２パラメータ）を変更する機能である。点灯制御部２３は、通信部２２が受信した信号に基づいて、光源２４の調光率の変更及び色温度の変更を行う。点灯制御部２３による光源２４の調光率及び色温度を変更する制御の詳細な説明は、後述する。
【００３６】
なお、負荷制御システム１００は、負荷システム２を複数備えていてもよい。例えば、負荷制御システム１００は、複数の制御ユニット３２を備え、各制御ユニット３２に伝送アダプタ３１を介して、複数の負荷２０（照明装置２１）を備える負荷システム２が接続される。各負荷システム２は、例えば、オフィスビルにおいて互いに異なる照明空間に設けられる。照明空間とは、負荷システム２における複数の照明装置２１が光を照射する空間である。照明空間は、オフィスビルにおいてフロア単位で区画された空間でもよいし、ロビー、廊下、階段、事務室、会議室、及び食堂等の単位で区画された空間でもよい。
【００３７】
次に、制御システム１について説明する。
【００３８】
本実施形態の制御システム１は、管理サーバ１０、及び監視装置１４を備えている。
【００３９】
管理サーバ１０は、例えば、オフィスビルの管理室等に設置されている。管理サーバ１０は、制御部１１、記憶部１２、及び通信部１３を備えている。
【００４０】
通信部１３は、通信線Ｌ３を介して制御ユニット３２と接続されている。通信部１３は、制御ユニット３２との有線通信に対応した通信インタフェースを含んでいる。また、通信部１３は、通信線Ｌ３を介して監視装置１４と接続されている。なお、管理サーバ１０（通信部１３）と制御ユニット３２との間の通信、及び管理サーバ１０（通信部１３）と監視装置１４との間の通信は、通信線Ｌ３を介した有線通信に限らず、電波等を媒体とする無線通信であってもよい。
【００４１】
記憶部１２は、ＲＯＭ（Read Only Memory）、ＲＡＭ（Random Access Memory）、又はＥＥＰＲＯＭ（Electrically Erasable Programmable Read Only Memory）等から選択されるデバイスで構成される。記憶部１２は、負荷システム２の負荷２０（照明装置２１）を制御するための負荷制御情報等を記憶している。
【００４２】
制御部１１は、例えば、ＣＰＵ（Central Processing Unit）及びメモリを主構成とするマイクロコントローラにて構成されている。そして、ＣＰＵがメモリに格納されているプログラムを実行することにより、マイクロコントローラが制御部１１として機能する。ＣＰＵが実行するプログラムは、ここではマイクロコントローラのメモリに予め記録されているが、メモリカード等の記録媒体に記録されて提供されてもよいし、インターネット等の電気通信回線を通じて提供されてもよい。制御部１１は、通信部１３等を制御するように構成されている。
【００４３】
制御部１１は、設定部１１１と、変換部１１２と、出力部１１３と、を備えている。言い換えれば、制御部１１は、設定部１１１としての機能と、変換部１１２としての機能と、及び出力部１１３としての機能と、を有している。
【００４４】
設定部１１１は、負荷制御情報を記憶部１２に記憶する。負荷制御情報とは、負荷システム２における負荷２０（照明装置２１）の制御に関する情報である。負荷制御情報には、例えば、光源２４の点灯及び消灯のスケジュール、光源２４の点灯時における光源２４の調光率、色温度等の制御データが含まれている。また、負荷制御情報には、各照明装置２１に対応する識別子の情報が含まれている。識別子は、各照明装置２１に割り当てられた固有のデータである。
【００４５】
各照明装置２１は、複数の識別子を有している。複数の識別子は、互いに異なるデータであるが、いずれも照明装置２１を識別することができる。複数の識別子は、照明装置２１における複数の機能と対応する。複数の識別子は、第１識別子と第２識別子とを含む。第１識別子は、照明装置２１における第１機能に対応し、第２識別子は、照明装置２１における第２機能に対応する。第１機能は、調光機能である。第２機能は、調色機能である。
【００４６】
本実施形態では、識別子は、照明装置２１（負荷２０）を識別するアドレス（ネットワークアドレス）である。つまり、各照明装置２１には、２つのアドレス（識別子）が割り当てられている。第１識別子は、調光用アドレスであり、第２識別子は、調色用アドレスである。
【００４７】
設定部１１１は、監視装置１４に入力されたデータに基づいて、負荷制御情報を記憶部１２に記憶する。
【００４８】
監視装置１４は、例えば、オフィスビルの管理室等に設置されている。監視装置１４は、通信線Ｌ３を介して、管理サーバ１０及び制御ユニット３２と接続されている。なお、監視装置１４と制御ユニット３２との間の通信は、通信線Ｌ３を介した有線通信に限らず、電波等を媒体とする無線通信であってもよい。
【００４９】
監視装置１４は、例えば、マウス、キーボード等の入力デバイス、液晶ディスプレイ等の表示デバイス、およびパーソナルコンピュータを含む。オフィスビルを管理する者（管理者）は、監視装置１４の表示デバイスに表示される画面を通じて、各照明装置２１の点灯状態、使用電力量等を監視可能である。また、管理者は、監視装置１４を用いて、管理サーバ１０の記憶部１２に記憶されている負荷制御情報の確認及び変更（新規入力を含む）が可能である。図２Ａ、図２Ｂに、負荷制御情報における調光率［％］及び色温度［Ｋ］の入力画面の一例を示す。
【００５０】
図２Ａ、図２Ｂに示す入力画面では、入力ボックスＢ１１，Ｂ１２それぞれに、調光率及び色温度の数値を直接的に入力することができる。
【００５１】
また、図２Ａに示す入力画面では、調光率及び色温度それぞれを、スクロールバーＢ２１，Ｂ２２を用いて入力することができる。つまり、図２Ａに示す入力画面では、調光率及び色温度を、入力ボックスＢ１１，Ｂ１２とスクロールバーＢ２１，Ｂ２２のいずれかで入力することができる。
【００５２】
図２Ｂに示す入力画面では、調光率及び色温度それぞれを、二次元入力ボックスＢ３１を用いて入力することができる。二次元入力ボックスＢ３１において、横軸が色温度であり、縦軸が調光率である。つまり、図２Ｂに示す入力画面では、調光率及び色温度を、入力ボックスＢ１１，Ｂ１２と二次元入力ボックスＢ３１のいずれかで入力することができる。
【００５３】
図２Ａに示す入力画面と、図２Ｂに示す入力画面とは、管理者が適宜選択することができる。
【００５４】
図２Ａ、又は図２Ｂに示す入力画面で入力された調光率及び色温度のデータは、監視装置１４から管理サーバ１０に出力される。設定部１１１は、監視装置１４に入力された調光率及び色温度の制御データを、照明装置２１の識別子（第１識別子、第２識別子）と対応付け、負荷制御情報として記憶部１２に記憶する。
【００５５】
また、監視装置１４では、光源２４の点灯及び消灯のスケジュールの入力も可能である。このスケジュールでは、光源２４を点灯させる時間帯ごとに調光率、及び色温度を個別に設定することができる。また、監視装置１４では、複数の照明装置２１を対応付けたグループ情報の入力も可能である。複数の照明装置２１をグループ化することにより、同じグループに属する複数の照明装置２１を点灯、消灯、調光率、及び色温度の制御を一括することができる。
【００５６】
出力部１１３は、負荷２０（照明装置２１）を制御する制御信号を出力する。具体的には、出力部１１３は、負荷２０（照明装置２１）を制御する際に、記憶部１２に記憶されている負荷制御情報を参照し、通信部１３を介して制御対象の照明装置２１に制御信号を出力する。制御信号には、制御対象（出力先）の照明装置２１に割り当てられた識別子（アドレス）が含まれている。
【００５７】
上述したように、照明装置２１には、２つの識別子（アドレス）が割り当てられている。出力部１１３は、照明装置２１における第１機能（調光機能）の動作を制御する場合、第１識別子（調光用アドレス）を含む制御信号（以下、調光制御信号ともいう）を出力する。この調光制御信号には、記憶部１２に記憶されている、制御対象の照明装置２１に対応した調光率のデータが含まれている。つまり、出力部１１３は、照明装置２１の調光率を変更させる場合、調光率の制御データ及び第１識別子（調光用アドレス）を含む調光制御信号を出力する。
【００５８】
また、出力部１１３は、照明装置２１における第２機能（調色機能）の動作を制御する場合、第２識別子（調色用アドレス）を含む制御信号（以下、調色制御信号ともいう）を出力する。この調色制御信号には、記憶部１２に記憶されている、制御対象の照明装置２１に対応した色温度の制御データが含まれている。具体的には、調色制御信号には、色温度の制御データを調光率の制御データに変換したデータが含まれている。
【００５９】
上述したように、本実施形態では、オフィスビルにおいて、調光機能のみを有し調色機能を有していない既存の照明装置を、調光機能及び調色機能を有する照明装置２１に変更した場合を想定している。そのため、制御ユニット３２及び伝送アダプタ３１の仕様は、調光率の制御データのデータ形式の送信には対応しているが、色温度の制御データのデータ形式の送信には対応していない。
【００６０】
そこで、変換部１１２は、色温度の制御データのデータ形式を、調光率（色温度変換値ともいう）の制御データのデータ形式に変換する。例えば、記憶部１２には、色温度と調光率との対応関係を示す変換テーブルが記憶されており、変換部１１２は、変換テーブルに基づいて、色温度の制御データを、調光率（色温度変換値）の制御データに変換する。一例として、変換部１１２は、色温度の制御データが「３０００Ｋ」である場合、この色温度の制御データを「１４％」という調光率（色温度変換値）の制御データに変換する。
【００６１】
出力部１１３は、照明装置２１における調色機能の動作を制御する場合、変換部１１２によって変換された調光率（色温度変換値）の制御データを含む調色制御信号を出力する。つまり、出力部１１３は、照明装置２１の色温度を変更させる場合、色温度変換値の制御データ及び第２識別子（調色用アドレス）を含む調色制御信号を出力する。
【００６２】
調色制御信号に含まれている色温度変換値の制御データのデータ形式は、調光率の制御データと同じデータ形式である。したがって、制御ユニット３２及び伝送アダプタ３１は、調色制御信号を照明装置２１に伝送することができる。
【００６３】
変換部１１２は、色温度の制御データを予め調光率（色温度変換値）の制御データに変換して記憶部１２に記憶しておいてもよいし、出力部１１３が調色制御信号を出力する際に、色温度の制御データを調光率の制御データに変換してもよい。
【００６４】
照明装置２１において、点灯制御部２３は、通信部２２が受信した制御信号に含まれる識別子に基づいて、当該受信信号が調光制御信号であるか調色制御信号であるかを判断する。点灯制御部２３は、通信部２２が受信した制御信号に第１識別子（調光用アドレス）が含まれている場合、当該制御信号が調光制御信号であると判断する。また、点灯制御部２３は、通信部２２が受信した制御信号に第２識別子（調色用アドレス）が含まれている場合、当該制御信号が調色制御信号であると判断する。
【００６５】
点灯制御部２３は、調光制御信号を受信した場合、調光制御信号に含まれている調光率の制御データに基づいて、光源２４の調光率を変更（調整）する。
【００６６】
また、点灯制御部２３は、調色制御信号を受信した場合、調色制御信号に含まれている調光率（色温度変換値）の制御データを、色温度の制御データに変換する。例えば、照明装置２１は、記憶部１２に記憶されている変換テーブルと同じ変換テーブルが記憶された記憶部を備えている。点灯制御部２３は、変換テーブルに基づいて、色温度変換値の制御データを、色温度の制御データに変換する。一例として、点灯制御部２３は、色温度変換値の制御データが「１４％」である場合、この色温度変換値の制御データを「３０００Ｋ」という色温度の制御データに変換する。つまり、点灯制御部２３は、変換部１１２による色温度の制御データから調光率（色温度変換値）の制御データへの変換処理と、逆の変換処理を行う。そして、点灯制御部２３は、変換した色温度の制御データに基づいて、光源２４の色温度を変更（調整）する。
【００６７】
このように、本実施形態の制御システム１では、負荷システム２との間の通信仕様が色温度の制御データのデータ形式の送信に対応していない場合であっても、負荷２０における調光機能及び調色機能を制御することができる。つまり、調光機能のみを有し調色機能を有していない既存の照明装置を、調光機能及び調色機能を有する照明装置２１に変更した場合であっても、制御システム１は、照明装置２１の調光機能及び調色機能を制御することができる。
【００６８】
（３）変形例
上記実施形態は、本開示の様々な実施形態の一つに過ぎない。上記実施形態は、本開示の目的を達成できれば、設計等に応じて種々の変更が可能である。また、上記実施形態に係る制御システム１と同様の機能は、制御方法、コンピュータプログラム、又はコンピュータプログラムを記録した非一時的記録媒体等で具現化されてもよい。
【００６９】
制御方法では、複数の機能に対応する複数の識別子を有する負荷２０を含む負荷システム２を制御する。制御方法では、負荷２０における複数の機能のうち第１機能の動作を制御する場合、複数の識別子のうち第１機能に対応する第１識別子を含む制御信号を出力する。制御方法では、負荷２０における複数の機能のうち第２機能の動作を制御する場合、複数の識別子のうち第２機能に対応する第２識別子を含む制御信号を出力する。
【００７０】
（コンピュータ）プログラムは、上記の制御方法を実行させる。
【００７１】
以下、上記実施形態の変形例を列挙する。以下に説明する変形例は、適宜組み合わせて適用可能である。
【００７２】
本開示における制御システム１の制御部１１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御部１１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７３】
また、制御システム１における複数の機能が、１つの筐体内に集約されていることは制御システム１に必須の構成ではなく、制御システム１の構成要素は、複数の筐体に分散して設けられていてもよい。さらに、制御システム１の少なくとも一部の機能、例えば、変換部１１２の一部の機能がクラウド（クラウドコンピューティング）等によって実現されてもよい。
【００７４】
（３．１）第１変形例
図３に、第１変形例に係る制御システム１、及び負荷制御システム１００のブロック図を示す。
【００７５】
上述した例では、負荷制御システム１００は、１つの負荷システム２を備えていたが、これに限らない。本変形例では、負荷制御システム１００は、複数（図３では２つ）の負荷システム２を備えている。複数の負荷システム２は、第１負荷システム２Ａと、第２負荷システム２Ｂと、を含む。本変形例の制御システム１は、第１負荷システム２Ａ及び第２負荷システム２Ｂを制御する。
【００７６】
第１負荷システム２Ａは、複数の機能を有する第１負荷２０Ａ（第１照明装置２１Ａ）を複数備えている。第１照明装置２１Ａは、調光機能（第１機能）と調色機能（第２機能）とを有する。また、第１照明装置２１Ａは、調光機能（第１機能）に対応する第１識別子（調光用アドレス）と調色機能（第２機能）に対応する第２識別子（調色用アドレス）とを有する。第１照明装置２１Ａ（第１負荷２０Ａ）は、上記の照明装置２１（負荷２０）と同様の構成であるので、詳細な説明を省略する。
【００７７】
第２負荷システム２Ｂは、単一の機能を有する第２負荷２０Ｂ（第２照明装置２１Ｂ）を複数備えている。単一の機能は、調光機能（第１機能）と調色機能（第２機能）とのいずれか一方と同じ機能である。本実施形態では、単一の機能は、調光機能（第１機能）である。つまり、第２照明装置２１Ｂは、調光機能のみを有する。第２照明装置２１Ｂは、調光機能に対応する単一の識別子を有する。単一の識別子は、第１識別子及び第２識別子と同種類の識別子である。ここでいう「同種類」とは、単一の識別子が表すデータ形式と、第１識別子及び第２識別子が表すデータ形式とが互いに同じであることを示す。本変形例では、単一の識別子は、第２負荷２０Ｂを識別するためのアドレス（調光用アドレス）である。
【００７８】
第１負荷システム２Ａにおける第１負荷２０Ａ（第１照明装置２１Ａ）と、第２負荷システム２Ｂにおける第２負荷２０Ｂ（第２照明装置２１Ｂ）とは、伝送アダプタ３１を介して互いに異なる制御ユニット３２に接続されている。
【００７９】
制御システム１における出力部１１３は、第１負荷システム２Ａの第１負荷２０Ａ（第１照明装置２１Ａ）を制御する場合、第１負荷２０Ａに第１制御信号を出力する。第１制御信号には、上述した、第１識別子（調光用アドレス）を含む調光制御信号、及び第２識別子（調色用アドレス）を含む調色制御信号が含まれる。
【００８０】
また、出力部１１３は、第２負荷システム２Ｂの第２負荷２０Ｂ（第２照明装置２１Ｂ）を制御する場合、第２負荷２０Ｂに第２制御信号を出力する。第２制御信号には、単一の識別子（調光用アドレス）を含む調光制御信号が含まれる。
【００８１】
つまり、出力部１１３は、第１負荷システム２Ａにおける、調光機能及び調色機能を有する第１負荷２０Ａ（第１照明装置２１Ａ）を制御する場合、調光制御信号又は調色制御信号を第１制御信号として出力する。また、出力部１１３は、第２負荷システム２Ｂにおける、調光機能のみを有する第２負荷２０Ｂ（第２照明装置２１Ｂ）を制御する場合、調光制御信号を第２制御信号として出力する。
【００８２】
したがって、本変形例の制御システム１では、負荷制御システム１００に第１負荷システム２Ａと第２負荷システム２Ｂとが混在している場合であっても、第１負荷２０Ａと第２負荷２０Ｂとのそれぞれを制御することができる。
【００８３】
なお、第２負荷２０Ｂ（第２照明装置２１Ｂ）は、単一の機能として調色機能を有していてもよいし、調光機能及び調色機能とは異なる機能を有していてもよい。
【００８４】
（３．２）第２変形例
図４に、第２変形例に係る制御システム１、及び負荷制御システム１００のブロック図を示す。
【００８５】
第１変形例では、負荷制御システム１００は、第１負荷２０Ａ（第１照明装置２１Ａ）を有する第１負荷システム２Ａと、第２負荷２０Ｂ（第２照明装置２１Ｂ）を有する第２負荷システム２Ｂとを備えていたが、これに限らない。
【００８６】
本変形例の負荷制御システム１００は、第１負荷２０Ａ（第１照明装置２１Ａ）と第２負荷２０Ｂ（第２照明装置２１Ｂ）とを含む負荷システム２Ｃを備えている。つまり、負荷システム２Ｃでは、調光機能及び調色機能を有する第１負荷２０Ａ（第１照明装置２１Ａ）と、調光機能のみを有する第２負荷２０Ｂ（第２照明装置２１Ｂ）とが混在している。第１負荷２０Ａ（第１照明装置２１Ａ）と第２負荷２０Ｂ（第２照明装置２１Ｂ）とは、伝送アダプタ３１を介して互いに同じ制御ユニット３２に接続されている。
【００８７】
制御システム１における出力部１１３は、負荷システム２Ｃの第１負荷２０Ａ（第１照明装置２１Ａ）を制御する場合、第１負荷２０Ａに第１制御信号を出力する。第１制御信号には、上述した、第１識別子（調光用アドレス）を含む調光制御信号、及び第２識別子（調色用アドレス）を含む調色制御信号が含まれる。
【００８８】
また、出力部１１３は、負荷システム２Ｃの第２負荷２０Ｂ（第２照明装置２１Ｂ）を制御する場合、第２負荷２０Ｂに第２制御信号を出力する。第２制御信号には、単一の識別子（調光用アドレス）を含む調光制御信号が含まれる。
【００８９】
したがって、本変形例の制御システム１では、負荷システム２に第１負荷２０Ａ（第１照明装置２１Ａ）と第２負荷２０Ｂ（第２照明装置２１Ｂ）とが混在している場合であっても、第１負荷２０Ａと第２負荷２０Ｂとのそれぞれを制御することができる。
【００９０】
（３．３）その他の変形例
上述した例では、負荷２０に割り当てられた識別子がアドレス（ネットワークアドレス）である場合を例に説明したが、識別子はアドレスに限らず、他の固有データであってもよい。
【００９１】
上述した例では、負荷２０が照明装置２１である場合を例に説明したが、負荷２０は照明装置２１に限らない。例えば、負荷２０は、空調装置であってもよい。この場合、負荷２０（空調装置）は、複数の機能として温度調整機能（第１機能）と、湿度調整機能（第２機能）とを有する。温度調整機能とは、冷房又は暖房により空間の温度を設定温度に調整する機能である。湿度調整機能とは、除湿又は加湿により空間の湿度を設定湿度に調整する機能である。負荷２０（空調装置）は、温度調整機能に対応する第１識別子と、湿度調整機能に対応する第２識別子とを有する。
【００９２】
制御システム１における出力部１１３は、負荷２０（空調装置）における温度調整機能（第１機能）の動作を制御する場合、第１識別子を含む制御信号を出力する。出力部１１３は、負荷２０（空調装置）における湿度調整機能（第２機能）の動作を制御する場合、第２識別子を含む制御信号を出力する。
【００９３】
なお、負荷制御システム１００において、照明装置２１を負荷２０とする負荷システム２と、空調装置を負荷２０とする負荷システム２とが混在していてもよい。また、負荷システム２において、負荷２０として照明装置２１と空調装置とが混在していてもよい。
【００９４】
（まとめ）
第１態様に係る制御システム（１）は、負荷（２０）を含む負荷システム（２，２Ｃ）を制御する。負荷（２０）は、複数の機能に対応する複数の識別子を有する。制御システム（１）は、負荷（２０）を制御する制御信号を出力する出力部（１１３）を備える。出力部（１１３）は、負荷（２０）における複数の機能のうち第１機能の動作を制御する場合、複数の識別子のうち第１機能に対応する第１識別子を含む制御信号を出力する。出力部（１１３）は、負荷（２０）における複数の機能のうち第２機能の動作を制御する場合、複数の識別子のうち第２機能に対応する第２識別子を含む制御信号を出力する。
【００９５】
この態様によれば、制御システム（１）は、負荷（２０）における複数の機能を制御することができる。
【００９６】
第２態様に係る制御システム（１）では、第１態様において、第１識別子及び第２識別子は、それぞれ負荷（２０）を識別するアドレスである。
【００９７】
この態様によれば、制御システム（１）は、制御信号に含まれるアドレスに応じて、負荷（２０）にける第１機能又は第２機能を制御することができる。
【００９８】
第３態様に係る制御システム（１）では、第１又は第２態様において、出力部（１１３）は、負荷（２０）である第１負荷（２０Ａ）を含む負荷システム（２，２Ｃ）である第１負荷システム（２Ａ）に、第１負荷（２０Ａ）を制御する制御信号である第１制御信号を出力する。出力部（１１３）は、単一の機能に対応する単一の識別子を有する第２負荷（２０Ｂ）を含む第２負荷システム（２Ｂ）に、第２負荷（２０Ｂ）を制御する第２制御信号を出力する。
【００９９】
この態様によれば、制御システム（１）は、複数の機能を有する第１負荷（２０Ａ）と、単一の機能を有する第２負荷（２０Ｂ）との両方を制御することができる。
【０１００】
第４態様に係る制御システム（１）では、第１又は第２態様において、負荷システム（２，２Ｃ）は、負荷（２０）である第１負荷（２０Ａ）と、単一の識別子を有する第２負荷（２０Ｂ）と、を含む。
【０１０１】
この態様によれば、制御システム（１）は、負荷システム（２，２Ｃ）に複数の機能を有する第１負荷（２０Ａ）と、単一の機能を有する第２負荷（２０Ｂ）とが含まれている場合であっても、複数の機能を有する第１負荷（２０Ａ）と、単一の機能を有する第２負荷（２０Ｂ）との両方を制御することができる。
【０１０２】
第５態様に係る制御システム（１）では、第３又は第４態様において、単一の機能は、第１機能と第２機能とのいずれか一方と同じ機能である。
【０１０３】
この態様によれば、制御システム（１）は、第１機能と第２機能とのいずれか一方の機能を有する第２負荷（２０Ｂ）を制御することができる。
【０１０４】
第６態様に係る制御システム（１）では、第３〜第５態様のいずれかにおいて、単一の識別子は、第１識別子及び第２識別子と同種類の識別子である。
【０１０５】
この態様によれば、第１制御信号と第２制御信号とで、含まれる識別子の種類を同じにすることができ、信号を送信するための制御が容易になる。
【０１０６】
第７態様に係る制御システム（１）では、第１〜第６態様のいずれかにおいて、第１機能は、負荷（２０）における第１パラメータを変更する機能である。第２機能は、負荷（２０）における第１パラメータとは異なる第２パラメータを変更する機能である。
【０１０７】
この態様によれば、制御システム（１）は、負荷（２０）における第１パラメータと第２パラメータとの両方を変更することができる。
【０１０８】
第８態様に係る制御システム（１）では、第７態様において、出力部（１１３）は、第２機能の動作を制御する場合、第２パラメータの制御データが第１パラメータの制御データに変換されたデータを含む制御信号を出力する。
【０１０９】
この態様によれば、負荷システム（２，２Ｃ）との間の通信が、第１パラメータの制御データのデータ形式にのみ対応している場合であっても、負荷（２０）に制御信号を出力することができる。
【０１１０】
第９態様に係る制御システム（１）では、第１〜第８態様のいずれかにおいて、負荷（２０）は、光源（２４）を有する照明装置（２１）である。第１機能は、光源（２４）の調光率を変更する機能である。第２機能は、光源（２４）の色温度を変更する機能である。
【０１１１】
この態様によれば、制御システム（１）は、負荷（２０）における光源（２４）の調光率と色温度との両方を変更することができる。
【０１１２】
第１０態様に係る負荷制御システム（１００）は、第１〜第９態様のいずれかの制御システム（１）と、負荷システム（２，２Ｃ）と、を備える。
【０１１３】
この態様によれば、負荷制御システム（１００）における制御システム（１）は、負荷（２０）における複数の機能を制御することができる。
【０１１４】
第１１態様に係る負荷（２０）は、第１〜第９態様のいずれかの制御システム（１）によって制御される。
【０１１５】
この態様によれば、負荷（２０）は、制御システム（１）によって複数の機能が制御される。
【０１１６】
第１２態様に係る制御方法は、負荷（２０）を含む負荷システム（２，２Ｃ）を制御する。負荷（２０）は、複数の機能に対応する複数の識別子を有する。制御方法では、負荷（２０）における複数の機能のうち第１機能の動作を制御する場合、複数の識別子のうち第１機能に対応する第１識別子を含む制御信号を出力する。制御方法では、負荷（２０）における複数の機能のうち第２機能の動作を制御する場合、複数の識別子のうち第２機能に対応する第２識別子を含む制御信号を出力する。
【０１１７】
この態様によれば、負荷（２０）における複数の機能を制御することができる。
【０１１８】
第１３態様に係るプログラムは、コンピュータシステムに、第１２態様の制御方法を実行させる。
【０１１９】
この態様によれば、負荷（２０）における複数の機能を制御することができる。
【符号の説明】
【０１２０】
１  制御システム
１１３  出力部
１００  負荷制御システム
２，２Ｃ  負荷システム
２Ａ  第１負荷システム
２Ｂ  第２負荷システム
２０  負荷
２１  照明装置
２４  光源
【図１】
2020057483.tif 000003
【図２】
2020057483.tif 000004
【図３】
2020057483.tif 000005
【図４】
2020057483.tif 000006